(57)【要約】【課題】軽量で施工性に優れているとともに、水捌けに優れた透水性盛土構造を提供する。【解決手段】既存地盤４上に盛土Ａが形成され、該盛土Ａに透水手段が施されてなる透水性盛土構造１において、前記既存地盤４上に施工された排水部６と、該排水部６と前記盛土Ａ上面とを連結するドレーン２と、該ドレーン２上を被う覆土帽子層３とを有し、前記ドレーン２が破砕ゴム片ａをパイプ状に形成してなる。前記ドレーンの形状が上部に広がったラッパ状であることが好ましい。前記排水部が前記破砕ゴム片を前記既存地盤上全面に層状に積層することで施工されているか、あるいは前記破砕ゴム片をパイプ状に盛土端部まで形成することにより施工されているものとすることができる。【選択図】図１
2008095305.tif 000002
【特許請求の範囲】
【請求項１】
既存地盤上に盛土が形成され、該盛土に透水手段が施されてなる透水性盛土構造において、前記既存地盤上に施工された排水部と、該排水部と前記盛土上面とを連結するドレーンと、該ドレーン上を被う覆土帽子層とを有し、前記ドレーンが破砕ゴム片をパイプ状に形成してなることを特徴とする透水性盛土構造。
【請求項２】
前記ドレーンの形状が上部に広がったラッパ状である請求項１記載の透水性盛土構造。
【請求項３】
前記排水部が前記破砕ゴム片を前記既存地盤上全面に層状に積層することで施工されている請求項１または２記載の透水性盛土構造。
【請求項４】
前記排水部が前記破砕ゴム片をパイプ状に盛土端部まで形成することにより施工されている請求項１または２記載の透水性盛土構造。
【請求項５】
前記排水部がパイプ表面に多数の孔が穿設された有孔管を盛土端部まで誘導することにより施工されている請求項１または２記載の透水性盛土構造。
【発明の詳細な説明】
【技術分野】
【０００１】
本発明は、既存地盤上に施工されるプレイグラウンド等、軽負荷利用目的の盛土構造であって、透水手段が施工されてなる透水性盛土構造に関し、詳しくは、軽量で施工性に優れているとともに、水捌けに優れた当該透水性盛土構造に関する。
【背景技術】
【０００２】
近年公園等で子供の遊び場（プレイグラウンド）として丘状の起伏や台形の高台を設ける例が増えている。前記丘状の起伏や台形の高台のような変化に富んだ地形は盛土により形成され、芝生、樹木等の植栽との組み合わせにより、老若男女を問わず安らぎに満ちた空間の提供が可能である。
【０００３】
一方、非特許文献１には、廃タイヤをカットまたは粉砕して得られるタイヤチップを利用したブランケット型面状排水層の適用例が開示されている。
【非特許文献１】古タイヤの基礎地盤・土構造物への有効利用技術、基礎工、Vol34、No.2、pp.58〜63、2006
【発明の開示】
【発明が解決しようとする課題】
【０００４】
しかしながら、従来の盛土では、水捌けが悪い場合は盛土上面に水溜りができ易く、盛土地表面から斜面に雨水等が流れ込み、斜面が滑りやすくなる危険性があり、また、かかる斜面に植栽を設けても植生が流出するなど、メンテナンスに手間がかかるという問題があった。
【０００５】
また、非特許文献１記載のブランケット型面状排水層を既存地盤上に施工した後、その上に盛土を形成した場合、盛土に対しある程度の排水性は確保することはできるが、なお十分とはいえなかった。
【０００６】
そこで本発明の目的は、上記の問題点を解消し、軽量で施工性に優れているとともに、水捌けに優れた透水性盛土構造を提供することにある。
【課題を解決するための手段】
【０００７】
本発明者らは、上記課題につき鋭意検討した結果、廃タイヤをカットまたは破砕して得られる破砕ゴム片を透水材として所定の条件下で盛土に適用することにより、上記目的を達成し得ることを見出し、本発明を完成するに至った。
【０００８】
即ち、本発明の透水性盛土構造は、既存地盤上に盛土が形成され、該盛土に透水手段が施されてなる透水性盛土構造において、前記既存地盤上に施工された排水部と、該排水部と前記盛土上面とを連結するドレーンと、該ドレーン上を被う覆土帽子層とを有し、前記ドレーンが破砕ゴム片をパイプ状に形成してなることを特徴とするものである。
【０００９】
本発明の透水性盛土構造においては、ドレーンの形状が上部に広がったラッパ状であることが好ましい。また、前記排水部は、好ましくは、１）前記破砕ゴム片を前記既存地盤上全面に層状に積層することで施工されているか、２）前記排水部が前記破砕ゴム片をパイプ状に盛土端部まで形成することにより施工されているか、あるいは、３）パイプ表面に多数の孔が穿設された有孔管を盛土端部まで誘導することにより施工されているものとする。
【発明の効果】
【００１０】
本発明によれば、盛土表面から効率よく雨水等をドレーンに誘導することが可能となり、排水性に優れた安全快適な盛土が得られる。また、盛土の軽量化、透水材の使用量の節約および廃タイヤ等のリサイクル材の有効活用が可能となる。
【発明を実施するための最良の形態】
【００１１】
以下に、図面を参照して本発明の実施の形態につき具体的に説明する。
図１は本発明の一実施の形態に係る透水性盛土構造１の断面図であり、排水部６が、破砕ゴム片ａを既存地盤４上全面に層状に積層する、所謂ブランケット型排水層を施工することにより形成されている。図２は、このブランケット型排水層（排水部）６にドレーン２が結合している状態を示す部分斜視図である。
【００１２】
図示する本発明の透水性盛土構造１は、既存地盤上４に盛土Ａが形成され、この盛土Ａに透水手段として、既存地盤４上に施工された排水部６と、この排水部６と盛土Ａ上面とを連結するドレーン２とが施工されている。ドレーン２上には、該ドレーン２を被う覆土帽子層３が施工されている。本発明においては、排水部６とドレーン２とを破砕ゴム片ａにより形成することで、盛土Ａから覆土帽子層３に浸透した雨水等を効率よくドレーン２を介して排水部６まで誘導することが可能となり、排水部６により、ドレーン２で集めた雨水等が底部で水平方向へ良好に排水され、側溝５に誘導される。これにより、水捌けに優れた安全快適な盛土が得られる。
【００１３】
かかる破砕ゴム片ａは、廃タイヤをカットもしくは破砕して得られるタイヤチップ、タイヤシュレッズを好適に使用することができる。使用する破砕ゴム片ａは、長径が１０〜６０ｍｍ、好ましくは２０〜５０ｍｍのサイズのものを好適に用いることができる。破砕ゴム片ａの長径が１０ｍｍ未満であると、破砕ゴム片ａ間の空隙が減少し、透水性が低下する。一方、ドレーン２の径は、排水性および盛土の安全性等の観点から、好ましくは１５〜３０ｃｍであるため、破砕ゴム片ａの長径が６０ｍｍを超えると施工性が著しく低下する。また、破砕ゴム片ａとしては、スチールコード入りチップまたはゴムのみのチップのいずれについても使用可能である。さらに、破砕ゴム片ａは、単独の使用または破砕ゴム片ａと砕石等既存の透水材を混合しての使用が可能である。なお、破砕ゴム片の長径とは、破砕ゴム片の径が最大となる箇所を測定した値である。
【００１４】
本発明の透水性盛土構造１の施工においては、先ず、破砕ゴム片ａを、好ましくは２０〜４０ｃｍの厚さで既存地盤４上全面に層状に施工することで排水部６を設けることができる。この破砕ゴム片ａが２０ｃｍ未満であると排水性が十分とはいえなくなり、一方、４０ｃｍを超えると経済性および盛土の安定性の面で十分とはいえなくなる。
【００１５】
次に、盛土Ａを施工形成しながら、縦型のドレーン２を、好ましくは約２〜１０ｍの長さにて要所に施工する。この際、雨水等を効率良くドレーン本体２ａに誘導できるように、ドレーン本体２ａの上部にラッパ状、例えば、四角錐形状に広げたドレーン拡張端２ｂを施工することが好ましい。
【００１６】
最後に、水捌けの良い地盤材、例えば、砂などを最上部に覆土帽子層３として、好ましくは２０〜５０ｃｍの厚さで施工し、必要に応じ、植栽を設ける。
【００１７】
図３に、本発明の他の実施の形態に係る透水性盛土構造１の、既存地盤４上に施工される排水部７の部分斜視図を示す。図示する例では、排水部７が、破砕ゴム片ａを、好ましくは３０〜５０ｃｍの径にて必要数パイプ状に施工することにより形成され、盛土Ａ端部まで施工されている。このようにして形成された排水部７にドレーン２が線状に連結され、これにより、ドレーン２で集めた雨水等が底部で水平方向へ良好に排水される。盛土Ａおよび覆土帽子層３は前記実施の形態と同様に施工することにより、水捌けに優れた安全快適な盛土が得られる。
【００１８】
図４に、本発明の更に他の実施の形態に係る透水性盛土構造１の、既存地盤４上に施工される排水部８の部分斜視図を示す。図示する例では、排水部８が、パイプ表面に、好ましくは１０〜２０ｍｍの径の多数の孔が側面に穿設された、好ましくは２０〜４０ｃｍのパイプ径の有孔管を必要数施工することにより形成され、盛土Ａ端部まで施工されている。このようにして形成された排水部８にドレーン２が線状に連結され、これにより、ドレーン２で集めた雨水等が底部で水平方向へ良好に排水される。この際、排水部８を複数本の有孔管で形成することにより、ドレーン２周辺の水も当該有孔管に誘導することが可能となる。盛土Ａおよび覆土帽子層３は前記実施の形態と同様に施工することにより、水捌けに優れた安全快適な盛土が得られる。
【図面の簡単な説明】
【００１９】
【図１】本発明の一実施の形態に係る透水性盛土構造の断面図である。
【図２】排水部とドレーンとの結合状態を示す部分斜視図である。
【図３】他の排水部とドレーンとの結合状態を示す部分斜視図である。
【図４】更に他の排水部とドレーンとの結合状態を示す部分斜視図である。
【符号の説明】
【００２０】
１  透水性盛土構造
２  ドレーン
２ａ  ドレーン本体
２ｂ  ドレーン拡張端
３  覆土帽子層
４  既存地盤
５  側溝
６，７，８  排水部
ａ  破砕ゴム片
Ａ  盛土
【図１】
2008095305.tif 000003
【図２】
2008095305.tif 000004
【図３】
2008095305.tif 000005
【図４】
2008095305.tif 000006